【手続補正書】
【提出日】平成17年10月7日(2005.10.7)
【手続補正１】
【補正対象書類名】明細書
【補正対象項目名】全文
【補正方法】変更
【補正の内容】
【書類名】明細書
【発明の名称】  パチンコ機
【特許請求の範囲】
【請求項１】
外レールと内レールで囲まれた遊技領域内に、釘、風車、入賞口、ゲート等の役物が設けられ、前記内レールの最下端近傍位置にアウト口を配置し、発射装置により前記外レールに沿って遊技球を前記遊技領域の上部に打ち出して遊技をするパチンコ機において、
前記上部遊技領域を除く遊技領域を釘、役物等で障碍して左半遊技領域及び右半遊技領域に２分し、前記左半遊技領域及び右半遊技領域のそれぞれにアウト口を形成すると共に該アウト口に計数センサを設けたことを特徴とするパチンコ機。
【請求項２】
前記計数センサにより左半又は右半各遊技領域別のアウト球を計数し、該計数したアウト球を別途設けた表示装置に表示するようにしたことを特徴とする請求項１記載のパチンコ機。
【請求項３】
外レールと内レールで囲まれた遊技領域内に、釘、風車、入賞口、ゲート等の役物が設けられ、前記内レールの最下端近傍位置にアウト口を配置し、発射装置により前記外レールに沿って遊技球を前記遊技領域の上部に打ち出して遊技をするパチンコ機において、
前記上部遊技領域を除く遊技領域を釘、役物等で障碍して左半遊技領域及び右半遊技領域に２分し、図柄表示装置を前記左半遊技領域と右半遊技領域に共通して設けると共に、前記図柄表示装置の図柄を変化させる始動口を前記左半遊技領域と右半遊技領域の夫々に設けたことを特徴とするパチンコ機。
【請求項４】
前記図柄表示装置の左半遊技領域と右半遊技領域に、該図柄表示装置の上部から下部へ遊技球が流下する装置内通路を設け、該装置内通路の出口近傍に前記始動口を設けたことを特徴とする請求項３記載のパチンコ機。
【請求項５】
前記各始動口にセンサを設け、該始動口に入る始動球を前記左半遊技領域又は右半遊技領域別に計数し、該計数した左半遊技領域又は右半遊技領域別始動球を別途設けた表示装置に表示するようにしたことを特徴とする請求項３又は４記載のパチンコ機。
【請求項６】
前記アウト球又は始動球を表示する表示装置は、遊技者からは見えないように、遊技盤を覆う前面扉内に隠れて設けたことを特徴とする請求項２又は５記載のパチンコ機。
【請求項７】
前記左半遊技領域と右半遊技領域の中央部に大入賞口を共通して設けたことを特徴とする請求項１乃至５のいずれかに記載のパチンコ機。
【発明の詳細な説明】
【０００１】
【発明の属する技術分野】
本発明は、発射装置より発射された遊技球が、パチンコ機台遊技領域の左半分又は右半分で遊技して遊ぶことが出来、１台のパチンコ機で２種類のゲームを長時間にわたって楽しむことができるパチンコ機に関するものである。
【０００２】
【従来の技術】
第１種パチンコ機１を例にして、図３に示す従来のパチンコ機１を説明する。図３において、遊技盤２の内部に外レール４と内レール３で仕切られた遊技領域６が形成されている。この遊技領域６の中央部にセンターケース７が設けられ、センターケース７に特別図柄表示装置８及び普通図柄表示装置９が配置されている。センターケース７の上部左右にはランプ付き風車１０、センターケース７の中央部やや下方左右にはそれぞれ２個の風車１１が、センターケース７の下部中央には第１種始動口（普通電動役物のことで単に始動口とも称する）１２が、始動口１２の左右にはゲート１３が、更にその左右には入賞口１４が配置され、始動口１２、ゲート１３、入賞口１４の下方にアタッカー１５が設けられ、アタッカー１５の左右端部に入賞口１７と中央部に大入賞口１６が一体となって配置されている。アタッカー１５の下方には、外れアウト球を回収するアウト口１８が配置される。センターケース７の左右で内レール３に接して一対のサイドランプ１９が配置され、これら遊技部品の周りには多数の障害釘５が所定の位置に打設されている。
【０００３】
下部の発射装置（図示せず）から発射された遊技球が始動口１２、入賞口１４等に入ると所定の賞球が払い出される。また遊技球がゲート１３を通過すると普通図柄表示装置９の図柄が回転し、定められた図柄になると始動口１２の普通電動役物のチューリップが開く。この普通電動役物付き始動口１２に遊技球が入ると特別図柄表示装置８の図柄が変化し、予め定められた図柄に揃うと大当たりとなってアタッカー１５の大入賞口１６が所定の遊技球を受入れるまで開口し、多数の賞球が払い出される。従って遊技者は、できるだけ始動口１２の周囲を落下するように遊技球発射装置のハンドルを調節し、始動口１２へ入って特別図柄表示装置が常に変化するように、図柄が揃って大当たりが得られるようにゲームが行われる。
【０００４】
このため近年遊技者によっては、始動口１２を狙って、遊技領域６のほぼ半分それも盤面上の右打ちに比べて遊技球の発射力が小さく球の移動変化が少ない、遊技領域６の左半分に遊技球を発射するように発射力を調節して、ほぼ定まった遊技球の落下コースで遊技される傾向が見られる。また極端な例では、パチンコ機の盤面の右上部辺を釘で障碍して障壁を作り、盤面の右半分には遊技球が落下しないように、左半分へのみ遊技球を落下させるようにしたパチンコ機さえ見掛けられる。
このようなパチンコ機では、始動口１２や入賞口に入る回数が多くて長時間遊技できる台と、入賞回数が少なくて遊技球がなくなってすぐゲームが終了してしまう台とに極端に２分化されてしまい、パチンコ機の台によっては遊技者の興趣を著しく減退させてしまう問題があった。
【０００５】
また、図４に示すごとく、パチンコ機盤面３０の中央下部から中央上部に発射した遊技球を案内する発射レール３５を設けて、盤面上における遊技領域を正面で分割してほぼ２分し、左右の遊技領域２３、２４で遊技するパチンコ機が開示されている。このものは発射レール３５の上部出口に打ち出された遊技球を左右の遊技領域２３，２４へ発射するように切り替える切り替えゲート３６を設け、遊技者がレバー３２を操作して左右何れかの遊技領域２３，２４へ遊技球を落下させるようにしたパチンコ機である。（特許文献１参照）。
【０００６】
【特許文献１】
特開平６−１７００３９号公報（図４）
【０００７】
【発明が解決しようとする課題】
しかしながら、上記特許文献１に開示された従来の技術は、遊技者の選択によってパチンコ機の上方へ打ち出した発射球を遊技者が切り替えゲート３６を操作して、遊技領域の左右いずれかへ打ち出すようにしたもので、パチンコ機盤面３０遊技領域の正面中央部に発射レール３５が立設して配設されるため、遊技者にとっては盤面中央部の発射レール３５が目障りとなり、また盤面３０が発射レール３５で完全に２分化されて狭くなり、遊技者の興趣をそそり大いにゲームを楽しくする液晶画面付特別図柄表示装置（即ち始動口に入賞すると図柄の変化が始動し、図柄が揃うと下部のアタッカーの大入賞口が開き、大量の遊技球が入賞することができるカラー液晶表示装置等、）を配設できず、またこの特別図柄表示装置を無理に配設しようとすると、レール３５で分割された左右の各遊技領域内に配置できる小さな形の特別図柄表示装置としなければならず、遊技者にとって興趣が薄れてしまう問題があった。
【０００８】
また、発射レール３５は盤面中央部で垂直に立ち上がるように設けてあるから、発射装置の発射力が小さいと発射遊技球が発射レールの上端まで届かず、又は上端から左右の遊技領域に打ち出されずに、下部の発射装置元へ戻ってしまい、立設した発射レール３５内に遊技球が詰まってしまう問題もあった。
本発明は、上記課題を解消して、遊技者にとって最も大きな興趣を得る特別図柄表示装置等を従来のパチンコ台盤面と同様に配置できて、興趣を損なうことなくゲームを楽しむことが出来、しかも発射装置で発射された遊技球を遊技領域の左半分又は右半分へ遊技者の好みで打ち出し、１台のパチンコ機で左右盤面２種類のゲームを楽しむことができるパチンコ機を提供するものである。
【０００９】
【課題を解決するための手段】
上記課題を解決するため本発明の請求項１で採用した手段は、「前面が正面ガラス扉に覆われ外レールと内レールで囲まれた遊技領域内に、釘、風車、入賞口、ゲート等の役物が設けられ、内レールの最下端近傍位置にアウト口を配置し、発射装置により外レールに沿って遊技球を前記遊技領域の上部に打ち出して遊技をするパチンコ機において、前記上部遊技領域を除く遊技領域を釘、役物等で障碍して左半遊技領域及び右半遊技領域に２分し、前記左半遊技領域及び右半遊技領域のそれぞれにアウト口を形成すると共に該アウト口に計数センサを設けたことを特徴とするパチンコ機。」である。「左半遊技領域及び右半遊技領域に２分」とは反対側の領域に遊技球が進入しないようにすることである。
よって請求項１の発明においては、左半遊技領域と右半遊技領域別に遊技球を発射させて左半アウト口又は右半アウト口に導くようにしたので、何れか遊技者好みの遊技盤面で遊ぶことが出来、同じパチンコ機であっても２台分遊ぶことが出来、盤選択の幅が大きく広がる。また、左半遊技領域及び右半遊技領域別のアウト球を計数しているので、左右各遊技領域別の出球率、入賞率なども算出でき、これらの数値を基準に釘調節を管理することができ、又パチンコ機台別の管理が行える。従って遊技者が長時間にわたってゲームを楽しめるパチンコ機とすることが出来る。
【００１０】
また請求項２の発明は、「前記計数センサにより左半又は右半各遊技領域別のアウト球を計数し、該計数したアウト球を別途設けた表示装置に表示するようにしたことを特徴とする請求項１記載のパチンコ機。」である。
【００１１】
また請求項３の発明は、「外レールと内レールで囲まれた遊技領域内に、釘、風車、入賞口、ゲート等の役物が設けられ、内レールの最下端近傍位置にアウト口を配置し、発射装置により外レールに沿って遊技球を前記遊技領域の上部に打ち出して遊技をするパチンコ機において、前記上部遊技領域を除く遊技領域を釘、役物等で障碍して左半遊技領域及び右半遊技領域に２分し、図柄表示装置を前記左半遊技領域と右半遊技領域に共通して設けると共に、前記図柄表示装置の図柄を変化させる始動口を前記左半遊技領域と右半遊技領域の夫々に設けたことを特徴とするパチンコ機。」である。
請求項３の発明においても、左半と右半遊技領域別に異なる遊技盤面として２台分のゲームを楽しめることを含め、液晶画面等の図柄表示装置は大きな表示装置を配置でき、また左右の遊技領域の片方は普通始動口を、片方は電動役物付き始動口を等、異なる始動口付きの遊技領域に配置できる。従ってこれまで通りの迫力ある図柄表示装置と共に、遊技領域別で異なる始動口付きの異なる遊技盤面ともでき、興趣の異なる２台分のゲームが楽しめる。
【００１２】
また請求項４の発明は、「前記図柄表示装置の左半遊技領域と右半遊技領域に、該図柄表示装置の上部から下部へ遊技球が流下する装置内通路を設け、該装置内通路の出口近傍に前記始動口を設けたことを特徴とする請求項３記載のパチンコ機。」である。
請求項４の発明においては、大きな表示面積を有す図柄表示装置内に遊技球通路を設けて、図柄表示装置部分も遊技球の移動範囲とし又右左各遊技領域として活用しており、遊技球の移動、運動範囲が広くなり、遊技者にとって大きな興趣をもってゲームできる。また、始動口を装置内通路の出口近傍に設けたことで表示装置内通路を通過した遊技球は下部の始動口に入りやすく、遊技者は図柄表示装置の装置内通路入口を狙って遊技球を発射させるので、発射遊技球の発射力、狙う位置は、従来の左半位置から上部の中央位置になり、その分発射遊技球の運動量、しいては移動量が多くなり、しかも右半と左半遊技領域で盤面が異なるため、それだけ遊技者にとって興趣が大きく、楽しく遊べるパチンコ機とすることが出来る。
【００１３】
また請求項５の発明は、「前記各始動口にセンサを設け、該始動口に入る始動球を前記左半遊技領域又は右半遊技領域別に計数し、該計数した左半遊技領域又は右半遊技領域別始動球を別途設けた表示装置に表示するようにしたことを特徴とする請求項３又は４記載のパチンコ機。」である。
請求項５の発明において、左半右半各遊技領域の各始動口に入る始動遊技球を計数してこれを表示するように設けたから、一目で左右のいずれの遊技領域でのゲームが図柄表示装置をより多く回転させているかを確認することが出来る。
【００１４】
また請求項６の発明は、「前記アウト球又は始動球を表示する表示装置は、遊技者からは見えないように、遊技盤を覆う前面扉内に隠れて設けたことを特徴とする請求項２又は５記載のパチンコ機。」である。ここでいう「前面扉」とは例えば遊技盤の前面を覆う正面ガラス扉である。請求項１のアウト球の計数や他の入賞口情報等と併せて、始動口入賞率やその他の詳細な機台別データを自動算出して、パチンコ機台別の遊技データ管理や釘調節のための情報管理、収益管理等、機台別の各種管理を行うことができる。また、アウト球又は始動球の計数値を基にして、遊技球が所定の割合で始動口等の入賞口に入賞し長時間にわたって楽しく遊べるように障碍釘の調節管理を行うことができる。
【００１５】
また請求項７発明は、「前記左半遊技領域と右半遊技領域の中央部に大入賞口を共通して設けたことを特徴とする請求項１乃至５のいずれかに記載のパチンコ機。」である。
【００１６】
また、前記左半遊技領域と右半遊技領域は、夫々の遊技領域で異なる盤面構成とするのが好ましい。「異なる盤面構成」とは、夫々の遊技領域で、異なる役物や盤面のセルデザイン、役物配置に設けることである。これによって、左半遊技領域と右半遊技領域とで、盤面のセルデザインや役物、役物配置の異なる盤面にしたので、遊技者にとっては更に異なる２つの盤面で興趣をそそり、従来のようにパチンコ機台を移動しなくとも２台分のゲームを楽しむことができる。なお、盤面を左半遊技領域と右半遊技領域とに振り分けて仕切る、障碍釘や役物の配置で左半と右半遊技領域に変化を持たせ、例えば一方は広く、他方は狭く等、異なる盤面にして更に遊技者の興趣をそそるようにすることもできる。
【００１７】
また、前記左半遊技領域及び右半遊技領域に設けられた入賞口の賞球払出し球数を互いに異なる球数とするのが好ましい。例えば左半遊技領域で入賞口に入って払出される賞球払出し球数を１５個／１回とし、右半遊技領域で入賞口に入って払出される賞球払出し球数を１０個／１回等、互いの遊技領域で異なる払出し球数とすることによって、例えば少ない払出し球数側の遊技領域は入賞口に入りやすい釘配置とし、払出し球数が多い側の遊技領域は多少入賞口に入り難い釘配置にするなど、左右の遊技領域で変化を持たせた盤面にして遊技者を楽しませることができる。
【００１８】
【発明の実施の形態】
以下本発明の実施の形態を図面に基づいて説明する。図１は本発明の第１実施例を示し、第１種パチンコ機の場合の正面から見たパネルである。図１において、遊技盤６０の内部に略同心環状の外レール５０と内レール５１で仕切られた遊技領域６１が形成されている。この遊技領域６１は中央部にセンターケース７０が配置され、センターケース７０の中央上部に打設された複数本の上部釘７１と、センターケース７０の中央下部からアタッカー７３までの間に打設された複数本の下部釘７２とで互いに反対側の半遊技領域には遊技球が流れないように盤面を左右に仕切って左半遊技領域６２と右半遊技領域６３とを形成している。尚、盤面を左右に仕切る前記複数本の上部釘７１及び下部釘７２は、実施例ではほぼ中央に左右均等位置に直線上に打設しているが、変化を持たせて蛇行する釘配置でもよい。また、左半遊技領域６２と右半遊技領域６３を一方が広く他方が狭くなるようにしてもよい。
【００１９】
センターケース７０には、左半遊技領域６２と右半遊技領域６３を落下する遊技球が図柄表示装置７４内を通過しないように、ケース７０の上面と両側面を盤面から前方に突き出す帯状ケースで囲って球障壁笠７５としている。また、アタッカー７３の大入賞口７６を開閉する開閉蓋７７にも左右を仕切るように突き出るリブ状のリブ壁７８を設け、開閉蓋７７の下部にも左右を仕切るように突き出た仕切り壁７９を設けてある。この仕切り壁７９は開閉蓋７７が開いた際に、蓋７７のリブ壁７８と干渉しないように互い違いに突き出る溝状に設けて、蓋７７が開いた際のリブ壁７８が仕切り壁７９の溝内にはまるようになっている。
【００２０】
アタッカー７３の下部はアウト口８０が設けられ、その入り口には、上端に支点を有し下端が左右に揺れる揺動壁８３を設けて、左右のアウト口８１，８２を形成すると共にアウト口８０内部も分けて左右各アウト口８１，８２に夫々左右のアウト球を計数する計数センサ８８，８９を設けている。また、揺動壁８３は、左右の各遊技領域６２，６３から流下したアウト球を左右のアウト口８１，８２に入れると共にアウト球の落下慣性力を吸収する役目をしている。
【００２１】
センターケース７０は、特別図柄表示装置７４や普通図柄表示装置８４等を設けたもので、前記従来と大きな違いがないが、前記左半遊技領域６２に設けた普通始動口８５及び右半遊技領域６３に設けた電動役物付き始動口８６に入賞すると、各始動口８５，８６のセンサによって特別図柄表示装置７４の変化が開始する。この特別図柄表示装置７４の図柄が所定の図柄に揃うと大当たりとなってアタッカー７３の開閉蓋７７が開き、大入賞口７６に所定数の遊技球が入り沢山の賞球が払い出される。また右半遊技領域６３に設けたゲート８７を遊技球が通過すると、普通図柄表示装置８４のＬＥＤ表示が変化し、このＬＥＤ表示の数字が揃うと、電動チューリップ９３が開き電動役物付き始動口８６に遊技球が入りやすくなる。
【００２２】
その他、センターケース７０の左右にはランプ付き風車５２、５２、風車５３、５３が、同中央部に入賞口５４、５４が配置され、その下方に前記のアタッカー７３が配置され、アタッカー７３の両側端部は入賞口５５，５５となって、中央部は前記の大入賞口７６になっている。また内レール５１に接して左右にサイドランプ５６、５６が、更に外レール５０の終端と内レール５１の始端部に強く発射された遊技球が突当たる反射装置９２を設けている。これら役物や遊技部品の周りには多数の障害釘５７を所定の位置に打設してあり、遊技球が変化に富んだ動きで落下するようになっている。
【００２３】
また５８，５９は、左右半遊技領域６２，６３の夫々のアウト口８１，８２に入るアウト球をセンサ８８，８９で計数した計数値を表示する表示装置である。この表示装置５８，５９は切り替えボタン９０によって、例えば特別図柄表示率（始動口入賞数／アウト球数）、入賞球率（入賞口入賞数／アウト球数）、各入賞口別入賞数、アウト球総数等、詳細なデータを切り替え表示可能にしており、即ちパチンコ機台別に、また機台の左右遊技領域６２、６３別に管理できるようになっている。
この表示装置５８，５９はパチンコ機台，遊技盤６０上に設け、遊技盤６０を覆う前面扉（正面ガラス扉）又は前面の内扉で通常は遊技者から見えないように、前面扉で隠された位置に設けられている。店管理者が１日の営業終了後等にこの前面扉を開けて表示装置５８，５９を確認することによって、このパチンコ機台の詳細なデータを得ることが出来る。また、このデータから遊技者の遊んでいる状況を判断できるので、アウト球又は始動球の計数値を基にして、遊技球が所定の割合で始動口８５，８６等の入賞口に入賞し長時間にわたって楽しく遊べるように障碍釘５７の調節管理を行うことができる。尚、表示装置５８，５９は遊技者が確認できるように設けても良い。
【００２４】
このように遊技領域６１は、遊技球が発射される上部を除いて、上部釘７１、センターケース７０、下部釘７２、リブ壁７８、仕切り壁７９、揺動壁８３とで、互いに反対側の半遊技領域に遊技球が流れないように仕切って、左半遊技領域６２及び右半遊技領域６３を形成している。そして、外レール５０と内レール５１間で形成された遊技球通過領域を通って発射された遊技球は左半遊技領域６２又は右半遊技領域６３に流下し、入賞しなかった遊技球は左右各アウト口８１，８２に導かれる。
また、図示からも判るようにこれらの役物や遊技部品及び障害釘５７の配置は、左半遊技領域６２と右半遊技領域６３とで異なっており、この左半，右半各遊技領域６２，６３は、異なる役物やセルの図柄デザイン、役物配置、および各領域の大きさ面積、形とすることができ、遊戯者にとって全く異なる遊技領域毎、各領域で興趣をそそる盤面構成とすることができる。
更に各入賞口５４，５５，８５，８６及び大入賞口７６へ入った際に払出される賞球払出し数を左側遊技領域６２では１０個／１回とし、右側遊技領域６３では１５個／１回とするなど、左右の遊技領域６２，６３での入賞払出し賞球数を変えることによって、更に夫々の遊技領域６２、６３で異なる盤面となり、遊技者のとって大きな興趣で２台分のゲームを楽しむ事ができる。従って左半遊技領域６２でのプレーに飽きたら右半遊技領域６３側に発射させて主に右半遊技領域６３で遊ぶ等、１台のパチンコ機で２台分のゲームを楽しむ事ができる。
【００２５】
図２は本発明の第２実施例を示し、第１種パチンコ機の場合の正面パネルである。前記図１で説明した第１実施例と同じ物は同一符号で説明する。第１実施例と大きく異なる点はセンターケース４０の構成であり、詳細は後述する。遊技領域６１は中央部に配置されたセンターケース４０及びセンターケース４０の中央上部に打設された複数本の上部釘７１と、センターケース４０の中央下部からアタッカー７３までの間に複数本の下部釘７２を打設して遊技盤面６０を左半遊技領域６２と右半遊技領域６３とに仕切っている。
【００２６】
本第２実施例のセンターケース４０は、各図柄表示装置４１、４２、４３の間に遊技球が通過する表示装置内遊技球通路４４、４５を設けている。各図柄表示装置４１、４２，４３は液晶表示であってもよいし、またドラム回転式表示であってもよい。またケース４０の上面と両側面を遊技盤面６０から前方に突き出す帯状ケースで囲って球障壁笠４６としている。この球障壁笠４６の左半遊技領域６２側と右半遊技領域６３側に前記遊技球通路４４，４５があり、各遊技球通路４４、４５の出口４７、４８は上部入口側と同じ側の各遊技領域６２，６３に流下する。アタッカー７３の大入賞口７６を開閉する開閉蓋７７にも左右を仕切るリブ壁７８を設け、開閉蓋７７の下部にも左右を仕切る仕切り壁７９を設け、開閉蓋７７が開いた際にリブ壁７８が仕切り壁７９の溝内にはまるようになっている。
【００２７】
アタッカー７３の下部はアウト口８０で、その入り口に前記第１実施例と同様の揺動壁８３が設けられ、左右各アウト口８１、８２には夫々左右のアウト球を計数するアウト球計数センサ８８，８９を設けている。このようにして遊技領域６０は、上部釘７１、センターケース４０、下部釘７２、リブ壁７８、仕切り壁７９、揺動壁８３とで、遊技球が発射される上部遊技領域を除いて、互いに反対側の半遊技領域には流れないようにして、左半遊技領域６２及び右半遊技領域６３を形成している。
【００２８】
センターケース４０は、従来のセンターケースと大きく異なり特別図柄表示装置４１、４２、４３の間に遊技球通路４４、４５を設けている。この遊技球通路４４、４５はセンターケース４０内で蛇行しており、左右半遊技領域６２，６３の各遊技球通路４４、４５の出口４７、４８の直下附近に普通始動口８５、及び電動役物付始動口８６を設けている。そして、各遊技球通路４４、４５を通過した遊技球は各始動口８５、８６に入り、始動口８５、８６に入賞すると特別図柄表示装置４１、４２、４３の図柄が変化を開始する。また５８，５９は前記第１実施例と同様、夫々のアウト口８１，８２に入るアウト球をセンサ８８，８９で計数した計数値を表示する左半遊技領域６２の表示装置と、右半遊技領域６３の表示装置である。この表示装置５８、５９は、パチンコ機台，遊技盤６０上に設け、遊技盤６０を覆う前面扉（正面ガラス扉）又は前面の内扉で通常は遊技者から見えないように、前記扉で隠された位置に設けられており、店の管理者が１日の営業終了後等にこの前面扉を開けて表示装置５８、５９を確認することによって、パチンコ機台別又は左右遊技領域６２，６３別の詳細なデータを得ることが出来る。またこのデータから、遊技者がプレーした状況を判断できるので、長時間にわたって楽しく遊べるように障碍釘５７の調節管理を行うことができる。
【００２９】
【発明の効果】
以上説明のごとく本発明によれば、パチンコ台盤面上の遊技者にとって最も大きな興趣を得る特別図柄表示装置等を従来と同様に配置できて、興趣を損なうことなくゲームを楽しむことが出来、しかも左右各遊技領域で役物や図柄デザイン障碍釘、領域の大きさや各領域での入賞口に入った際の賞球払出球数なども左右の遊技領域で違えることができ、発射装置で発射された遊技球を遊技領域の左半分又は右半分へ遊技者の好みで打ち出して、遊技者は、１台のパチンコ機で左右盤面２種類のゲームを楽しむことができる。またプレー中のパチンコ機台盤面に飽きた場合に従来のようにパチンコ機台を移動しなくてもよく、また、左右遊技領域のアウト球を計数してアウト球計数値から盤面の釘調節に利用し所定の割合で入賞して長時間楽しめる。
また左半、右半遊技領域別のアウト球を計数して特別図柄表示装置の始動率、入賞率などを自動算出してパチンコ機別、また左右遊技領域別に算出表示させることができ、これを釘調節の参考にして、長時間にわたってゲームが楽しめるパチンコ機と出来る。
また、液晶画面等の特別図柄表示装置は従来と同様の大きな装置を配置でき、また左右の各遊技領域に片方は普通始動口を、片方は電動役物付き始動口を等、異なる始動口を各遊技領域に配置して、迫力ある特別図柄表示装置と共に、２台分のゲームが楽しめる。
【００３０】
また、特別図柄表示装置部分も遊技球の通路を形成して球の動く範囲を大きくし、更に特別図柄表示装置部分も左半又は右半遊技領域とし、遊技球の移動範囲、運動範囲を広くして、大きな興趣をもってゲームを楽しむことができる。この場合、表示装置内通路を出た遊技球は各始動口に入るようにして、遊技者は上部の特別図柄表示装置の装置内通路入口を狙って発射させるので、発射遊技球の発射力、狙う位置は従来の左半位置に偏った発射から、上部の中央位置への発射となり、その分発射遊技球の発射力が強く運動量が多くなり、しいては移動量が多くなり、しかも右半と左半遊技領域で盤面が異なるため、それだけ遊技者にとって興趣が大きく、楽しく遊べるパチンコ機と出来る。
【００３１】
また左半右半各遊技領域別の始動口に入る始動遊技球を計数して表示するから、一目で左右のいずれの遊技領域でのゲームが多いかなどを確認出来る。これによってパチンコ機台別の遊技データ管理や釘調節のための情報管理、収益管理等、機台別の各種管理を行うことができる。
【図面の簡単な説明】
【図１】
本発明の第１実施例を示すパチンコ機の正面パネル図である。
【図２】
本発明の第２実施例を示すパチンコ機の正面パネル図である。
【図３】
従来のパチンコ機を示す正面図である。
【図４】
従来のパチンコ機で特許文献１のパチンコ機である。
【符号の説明】
５７        障碍釘
５８        左半遊技領域の表示装置
５９        右半遊技領域の表示装置
６０        遊技盤
６１        遊技領域
７０        センターケース
７１        上部釘
７２        下部釘
７３        アタッカー
７４        特別図柄表示装置
７５        球障壁笠
７６        大入賞口
７７        開閉蓋
７８        リブ壁
７９        仕切壁
８０        アウト口
８１        左アウト口
８２        右アウト口
８３        揺動壁
８４        普通図柄表示装置、
８５        普通始動口
８６        電動役物付始動口
８７        ゲート
８８        左アウト球センサ
８９        右アウト球センサ
９０        表示切替えボタン